(57)【特許請求の範囲】
【請求項１】
無線通信装置が接続中の相手装置に切断フレームを送信して切断処理を行う無線通信システムであって、
前記無線通信装置が接続中の前記相手装置に対し、切断処理の前記切断フレーム送信実行前の送信フレームに切断を予告する切断予告通知と前記切断予告通知からの待機時間を付加する処理手段を備え、前記切断予告通知の後、前記切断フレームを送信して切断処理を実行し、
前記相手装置は、前記無線通信装置から送信される切断処理前の前記送信フレームから前記待機時間と、前記送信フレームに付加されている前記切断予告通知から切断予告とを認識し、該切断予告通知後の前記待機時間で前記切断フレームを受け付ける処理手段を備え、前記切断予告通知から前記待機時間の経過後、前記切断フレームを無視することを特徴とする無線通信システム。
【請求項２】
請求項１の無線通信システムにおいて、
前記送信フレームは、通信装置の存在を表す報知情報を表すフレーム、通信装置の制御情報を表すフレーム、又は前記切断予告通知のために設定されたフレームの何れかであることを特徴とする無線通信システム。
【請求項３】
接続中の相手装置に切断フレームを送信して切断処理を行う無線通信装置であって、
切断を予告する切断予告通知を暗号化する暗号化手段と、
接続中の前記相手装置に対し、切断処理の前記切断フレーム送信実行前の送信フレームに暗号化した前記切断予告通知を付加する処理手段を備え、前記切断予告通知の後所定時間が経過すると、前記切断フレームを送信して切断処理を実行することを特徴とする無線通信装置。
【請求項４】
接続中の相手装置から切断フレームを受けて切断処理が実行される無線通信装置であって、
接続中の前記相手装置からの送信フレームを受信する受信手段と、
前記送信フレームより切断予告通知の受信からの待機時間と、前記送信フレームに付加されている前記切断予告通知から切断予告とを認識し、その切断予告通知受信後の前記待機時間内に受信した前記切断フレームに基づき切断処理を実行し、前記切断予告通知の受信から前記待機時間の経過後は前記切断フレームを無視する処理手段と、
を備えることを特徴とする無線通信装置。
【請求項５】
接続中の相手装置に切断フレームを送信して切断処理を行う無線通信装置の切断処理方法であって、
切断を予告する切断予告通知を暗号化するステップと、
接続中の前記相手装置に対し、切断処理の前記切断フレーム送信実行前の送信フレームに暗号化した前記切断予告通知を付加するステップと、
前記切断予告通知の後所定時間が経過すると、前記切断フレームを送信して切断処理を実行するステップと、
を含むことを特徴とする無線通信装置の切断処理方法。
【請求項６】
接続中の相手装置から切断フレームを受けて切断処理が実行される無線通信装置の切断処理方法であって、
接続中の前記相手装置から受信した送信フレームより切断予告通知の受信からの待機時間と、前記送信フレームに付加されている前記切断予告通知から切断予告とを認識するステップと、
前記ステップで前記切断予告通知受信後の前記待機時間内に受信した前記切断フレームに基づき切断処理を実行し、前記切断予告通知から前記待機時間の経過後、前記相手装置からの前記切断フレームを無視するステップと、
を含むことを特徴とする無線通信装置の切断処理方法。
【発明の詳細な説明】
【技術分野】
【０００１】
本発明は、無線ＬＡＮ（Local Area Network）システムの無線ＬＡＮアクセスポイントと無線ＬＡＮ端末との無線接続等、無線通信装置間の無線接続の切断に関し、特に、切断処理のためのディオーセンティケーション（Deauthentication）フレームの送信前に切断予告通知を付加して切断処理を行う無線通信システム、無線通信装置及びその切断処理方法に関する。
【背景技術】
【０００２】
無線ＬＡＮシステムは汎用性、低コスト性等、優れた特徴を有し、無線ＬＡＮ端末の設置位置に対する柔軟性が高いことから、移動体端末の通信システムとして普及している。このような通信システムにおいて、無線ＬＡＮ端末が無線通信を行う場合、無線ＬＡＮアクセスポイントを経由して他の無線ＬＡＮ端末や有線側ノードと通信するインフラストラクチャモードと、無線ＬＡＮ端末同士が直接通信を行うアドホックモードの二形態がある。このような通信接続及びその切断のプロトコルは通信規格（IEEE802.11シリーズ）によって定められている。
【０００３】
この通信規格では、無線ＬＡＮアクセスポイントが接続中の無線ＬＡＮ端末を切断する場合には、無線ＬＡＮアクセスポイントから無線ＬＡＮ端末に対して切断フレーム（即ち、ディオーセンティケーションフレーム）を送信することが規定されている。この切断フレームを無線ＬＡＮアクセスポイントが送信した後、無線ＬＡＮ端末から応答を待つ必要はなく、無線ＬＡＮアクセスポイントは切断フレームの送信完了時点で切断処理が終了する。
【０００４】
無線接続の切断に関し、特許文献１には、複数の無線システム親機と無線接続される子機が接続中の無線システム親機から他の無線システム親機のエリアに移動した場合、接続中の無線システム親機から他の無線システム親機に対し、切断予告通知を発し、子機は移動したエリアの無線システム親機の電波強度が一番強いと判断した場合には、その無線システム親機との通信を確立し、他の無線システム親機との通信を切断することが開示されている。
【０００５】
特許文献２には、アクセスポイントは、制御部がクライアントの認証や通信接続時間を監視し、クライアントとのコネクションを制御し、表示部とインターコムが特定区域内にいるクライアントだけに通信切断の予告やパスワード等の表示、通知を行うために使用される通信線（または、通信装置）であり、アクセスポイントの制御部からクライアントにパスワードの変更予告が発せられるとともに、この変更指令に従わない場合には回線が切断される旨通知されることが開示されている。
【０００６】
特許文献３には、ホストデバイスの無線ローカルネットワークデバイスから無線ネットワークへのアクセスポイントへ切り離す要求を送信し、無線ＬＡＮデバイスの送受信機のスイッチをＯＦＦすることが開示されている。
【特許文献１】特開２００７−１１６２５８公報（段落番号００８０、００８１、００８２）
【特許文献２】特開２００５−１１７４８８公報（段落番号００１７、００３１、図１、図２）
【特許文献３】特開２００５−２８７０３０公報（要約、段落番号０００４、０００５、図２）
【発明の開示】
【発明が解決しようとする課題】
【０００７】
ところで、無線接続の切断処理において、無線ＬＡＮアクセスポイントから送信されるディオーセンティケーションフレームは暗号化されていない。また、このディオーセンティケーションフレームの送受信に際し、無線ＬＡＮ端末は送信元の認証を行っていない。切断の際に送信されるＢＳＳＩＤ（Basic Service Set Identification）は、無線ＬＡＮアクセスポイントを一意に決定する識別情報であるが、これは、一般的には無線ＬＡＮアクセスポイントの無線インターフェースのＭＡＣ（Media Access Control) アドレスである。このため、ＢＳＳＩＤが接続先の無線ＬＡＮアクセスポイントに一致していれば、無線ＬＡＮの端末はディオーセンティケーションフレームを受け付け、無線ＬＡＮ接続を切断する。
【０００８】
このため、ディオーセンティケーションフレームは暗号化されていないので、他のノードから容易に送信でき、また、送信元の認証を行わないため、無関係な第三者的ノードから無線ＬＡＮ接続をたやすく切断し得る。これは、いわゆる「なりすまし」による切断を容易に行うことができることを意味し、正常な無線ＬＡＮネットワークの運用が妨害されることになる。
【０００９】
これを逆に利用し、使用の許可を受けていない無線ＬＡＮアクセスポイントや無線ＬＡＮ端末を検出すると、偽のディオーセンティケーションフレームを送信し、通信を妨害するセキュリティ製品も存在している。
【００１０】
そこで、正常な無線ＬＡＮ運用を実現するには、第三者的ノードからのディオーセンティケーションフレームによる切断を防止することが必要である。
【００１１】
斯かる要求や課題について、特許文献１ないし３にはその開示や示唆はなく、それを解決する構成等についての開示や示唆はない。
【００１２】
そこで、本発明の目的は、無線ＬＡＮアクセスポイントと無線ＬＡＮ端末との無線接続等の無線通信装置間の無線接続に関し、切断処理のセキュリティを向上させることにある。
【００１３】
斯かる目的を具体的に述べれば、無線ＬＡＮアクセスポイントと無線ＬＡＮ端末との無線接続等の無線通信装置間の無線接続に関し、無線通信装置間以外による切断情報による接続切断を防止することにある。
【００１４】
また、本発明の他の目的は、無線ＬＡＮアクセスポイントと無線ＬＡＮ端末との無線接続等の無線通信装置間の無線接続に関し、無線通信装置間以外による切断情報による接続切断を防止し、無線接続の信頼性を向上させることにある。
【課題を解決するための手段】
【００１５】
上記目的を達成するため、本発明は、無線通信装置が接続中の相手装置に切断フレームを送信して切断処理を行う無線通信システム、無線通信装置及びその切断処理方法であって、前記無線通信装置が接続中の前記相手装置に対し、切断処理の前記切断フレーム送信実行前の送信フレームに切断を予告する切断予告通知を送信し、この切断予告通知の後、前記切断フレームを送信して切断処理を実行する。このような切断処理、即ち、ディオーセンティケーションフレーム等の切断フレームの送信の前に、換言すれば、切断フレームの送信予告として切断予告通知と切断予告通知からの待機時間の通知を行うので、接続中の無線通信装置又は相手装置が切断フレームを受信する前に切断予告通知を受けていない場合や、切断予告通知から待機時間が経過した場合であれば、切断フレームの受け付けの拒否、即ち、接続中の装置以外からの切断フレームを無視し、不正な接続切断を防止でき、切断処理のセキュリティの向上とともに、無線接続の信頼性が高められる。
【００１６】
そこで、上記目的を達成するため、本発明の無線通信システムは、無線通信装置が接続中の相手装置に切断フレームを送信して切断処理を行う無線通信システムであって、前記無線通信装置が接続中の前記相手装置に対し、切断処理の前記切断フレーム送信実行前の送信フレームに切断を予告する切断予告通知と前記切断予告通知からの待機時間を付加する処理手段を備え、前記切断予告通知の後、前記切断フレームを送信して切断処理を実行し、前記相手装置は、前記無線通信装置から送信される切断処理前の前記送信フレームから前記待機時間と、前記送信フレームに付加されている前記切断予告通知から切断予告とを認識し、該切断予告通知後の前記待機時間で前記切断フレームを受け付ける処理手段を備え、前記切断予告通知から前記待機時間の経過後、前記切断フレームを無視する構成である。
【００１７】
斯かる構成では、無線通信装置が接続中の相手装置に対し切断処理を実行しようとすれば、切断処理の切断フレーム送信実行前の送信フレームに切断を予告する切断予告通知と切断予告通知からの待機時間が処理手段によって付加され、その送信フレームが無線通信装置から接続中の相手装置に送信されるので、相手装置では切断予告通知後の待機時間で切断フレームを受け付け、切断処理が実行される。切断予告通知が発せられていない場合や切断予告通知から待機時間が経過した場合であれば、相手装置は切断フレームの受け付けを拒否し、接続中の装置以外からの不正な切断フレームでの切断処理を回避でき、切断処理のセキュリティの向上、無線接続の信頼性の向上が図られ、上記目的が達成される。
【００１８】
上記目的を達成するために、上記無線通信システムにおいて、好ましくは、前記送信フレームは、通信装置の存在を表す報知情報を表すフレーム、通信装置の制御情報を表すフレーム、又は前記切断予告通知のために設定されたフレームの何れかであればよい。斯かる構成によれば、切断フレーム（ディオーセンティケーションフレーム）による切断処理を行う前のビーコンフレーム又は制御フレームに切断予告通知を付加し、又は切断予告通知用のフレームの何れかで切断処理前の接続中の装置に対して予告通知を発することができる。
【００１９】
また、上記目的を達成するため、本発明の無線通信装置は、接続中の相手装置に切断フレームを送信して切断処理を行う無線通信装置であって、切断を予告する切断予告通知を暗号化する暗号化手段と、接続中の前記相手装置に対し、切断処理の前記切断フレーム送信実行前の送信フレームに暗号化した前記切断予告通知を付加する処理手段を備え、前記切断予告通知の後所定時間が経過すると、前記切断フレームを送信して切断処理を実行する構成である。
【００２０】
斯かる構成において、無線通信装置は例えば、無線ＬＡＮシステムの中継手段即ち、無線アクセスポイント、相手装置は例えば、無線アクセスポイントと無線接続される無線ＬＡＮ端末であれば、無線通信装置の処理手段により送信フレームに切断予告通知が付加され、この切断予告通知を受けた相手装置は、切断予告通知の後所定時間が経過すると、切断フレームを受け付け、切断処理が実行されるので、接続中の装置以外からの不正な切断フレームでの切断処理を回避でき、切断処理のセキュリティの向上、無線接続の信頼性の向上が図られ、上記目的が達成される。
【００２１】
また、上記目的を達成するため、本発明の無線通信装置は、接続中の相手装置から切断フレームを受けて切断処理が実行される無線通信装置であって、接続中の前記相手装置からの送信フレームを受信する受信手段と、前記送信フレームより切断予告通知の受信からの待機時間と、前記送信フレームに付加されている前記切断予告通知から切断予告とを認識し、その切断予告通知受信後の前記待機時間内に受信した前記切断フレームに基づき切断処理を実行し、前記切断予告通知の受信から前記待機時間の経過後は前記切断フレームを無視する処理手段とを備える構成である。
【００２２】
斯かる構成において、相手装置は例えば、無線ＬＡＮシステムの中継手段即ち、無線アクセスポイント、無線通信装置は例えば、無線アクセスポイントと無線接続される無線ＬＡＮ端末であれば、無線通信装置から受けた送信フレームに切断予告通知が付加されていれば、その切断予告通知を受けた相手装置が、切断予告通知を認識し、切断予告通知後の待機時間で切断フレームを受け付けて切断処理が実行し、切断予告通知の受信から前記待機時間の経過後は前記切断フレームを無視するので、接続中の装置以外からの不正な切断フレームでの切断処理を回避でき、切断処理のセキュリティの向上、無線接続の信頼性の向上が図られ、上記目的が達成される。
【００２３】
また、上記目的を達成するため、本発明の無線通信装置の切断処理方法は、接続中の相手装置に切断フレームを送信して切断処理を行う無線通信装置の切断処理方法であって、切断を予告する切断予告通知を暗号化するステップと、接続中の前記相手装置に対し、切断処理の前記切断フレーム送信実行前の送信フレームに暗号化した前記切断予告通知を付加するステップと、前記切断予告通知の後所定時間が経過すると、前記切断フレームを送信して切断処理を実行するステップとを含むものである。斯かる切断処理方法によっても、同様に上記目的が達成される。
また、上記目的を達成するため、本発明の無線通信装置の切断処理方法は、接続中の相手装置から切断フレームを受けて切断処理が実行される無線通信装置の切断処理方法であって、接続中の前記相手装置から受信した送信フレームより切断予告通知の受信からの待機時間と、前記送信フレームに付加されている前記切断予告通知から切断予告とを認識するステップと、前記ステップで切断予告通知受信後の前記待機時間内に受信した前記切断フレームに基づき切断処理を実行し、前記切断予告通知から前記待機時間の経過後、前記相手装置からの前記切断フレームを無視するステップとを含むものである。斯かる切断処理方法によっても、同様に上記目的が達成される。
【発明の効果】
【００２４】
本発明によれば、次のような効果が得られる。
【００２５】
(1) 切断フレームによる切断処理の前に切断予告通知が発せられ、この切断予告通知の後の切断フレームに基づき切断処理を実行し、切断予告通知を受け付けていない場合には切断処理が実行されないので、切断処理のセキュリティを向上させることができる。
【００２６】
(2) 切断予告通知を受け付けていない場合には、切断フレームを受け付けないので、不正な切断フレームによる切断防止が図られ、無線接続の信頼性が高められる。
【００２７】
(3) 不正な切断フレーム送信による接続切断を防止できるので、不正な切断フレーム送信による通信妨害を回避できる。
【００２８】
そして、本発明の他の目的、特徴及び利点は、添付図面及び各実施の形態を参照することにより、一層明確になるであろう。
【発明を実施するための最良の形態】
【００２９】
〔第１の実施の形態〕
【００３０】
第１の実施の形態について、図１を参照する。図１は、第１の実施の形態に係る無線ＬＡＮシステムを示す図である。図１に示す構成は一例であって、斯かる構成に本発明が限定されるものではない。
【００３１】
この無線ＬＡＮシステム２は、無線通信装置、切断処理方法及び切断処理プログラムの一例であって、無線ＬＡＮアクセスポイント４に単数又は複数の無線ＬＡＮ端末として例えば、無線ＬＡＮ端末６が接続され、この無線ＬＡＮ端末６との接続を切断する場合に、無線ＬＡＮアクセスポイント４から切断予告通知８を送信し、この切断予告通知８の後、切断フレームとしてディオーセンティケーションフレーム（以下「切断フレーム」と称する）１０を送信する。切断予告通知８は無線ＬＡＮ端末６を切断することを予告する識別情報である。
【００３２】
この実施の形態では、送信フレームであるビーコンフレーム１２に切断予告通知８が付加されている。ビーコンフレーム１２は通信装置の存在を表す報知情報を表すフレームであり、切断予告通知８は、ビーコンフレーム１２以外の送信フレームとして例えば、通信装置の制御情報を表すフレーム（：制御フレーム）に付加してもよく、又は切断予告通知のためのフレーム（：切断予告通知用フレーム）を設定してもよい。
【００３３】
無線ＬＡＮアクセスポイント４は、無線ＬＡＮ端末６の無線接続の中継手段を構成する無線通信装置であって、この実施の形態では、接続中の無線ＬＡＮ端末６に対する切断処理を実行するための切断フレーム１０を送信する送信手段であるとともに、その切断フレーム１０の送信の所定時間前に切断予告通知８を送信する送信手段である。具体的には、無線ＬＡＮアクセスポイント４は、接続中の無線ＬＡＮ端末６を切断しようとすれば、ビーコンフレーム１２にて無線ＬＡＮ端末６を切断する切断予告通知８を送信フレームに付加して通知し、その後、切断フレーム１０を送信するまでの時間間隔として時間Ｔを決定する。即ち、接続中の無線ＬＡＮ端末６にはビーコンフレーム１２に付加された切断予告通知８により切断処理が実行されることが切断処理前に予告される。この切断予告通知８には、時間情報として予告通知の時点から切断フレーム１０が送信される時間Ｔ、切断フレーム１０の受信を可能にするため、切断予告通知８の受信後の所定時間として待機時間ｔ（＞Ｔ）が含まれる。時間Ｔ及び待機時間ｔは、一定時間である必要はなく、ｔ＞Ｔであれば、任意の時間でよく、不確定な時間であれば、不正者による切断フレーム１０の割込みを回避する確率を高くすることができる。
【００３４】
無線ＬＡＮ端末６は例えば、無線ＬＡＮアクセスポイント４を中継手段として他の無線ＬＡＮ端末と通信を維持し、情報の授受を行う無線通信装置であって、接続中の相手装置である例えば、無線ＬＡＮアクセスポイント４からの送信フレームを受信する受信手段である。この場合、切断処理では、既述の無線ＬＡＮ端末６は接続中の無線ＬＡＮアクセスポイント４から送信されたビーコンフレーム１２中に切断予告通知８の有無を検出し、切断予告通知８が存在している場合には、無線ＬＡＮアクセスポイント４からの切断フレームに基づいて実行される切断処理を受け付ける状態（切断待機状態）に遷移する。その際、切断予告通知８に含まれる既述の待機時間ｔを記憶する。この待機時間ｔ内で切断フレームの受信が可能であり、待機時間ｔの経過の後、無線ＬＡＮ端末６は無線ＬＡＮアクセスポイント４からの切断処理を受け付けない状態（切断処理拒否状態）に戻る。
【００３５】
切断フレーム１０を受信した無線ＬＡＮ端末６は、その切断フレーム１０が無線ＬＡＮアクセスポイント４からの切断予告通知８を受信した後の一定時間（待機時間ｔ）内であったか否かを確認し、待機時間ｔ内であれば、その切断処理を受け付け、無線ＬＡＮ接続を切断する。また、切断予告通知８の受信後、待機時間ｔが経過した後、又は、切断予告通知８を受け取っていない場合には、切断フレーム１０を受信しても、切断処理は受け付けず、無線ＬＡＮ接続を維持する。
【００３６】
このような無線ＬＡＮシステム２では、接続中の無線ＬＡＮ端末６の接続を切断する場合、無線ＬＡＮアクセスポイント４から切断予告通知８が無線ＬＡＮ端末６に送信され、その切断予告通知８の送信の後、切断フレーム１０が送信され、無線ＬＡＮ端末６では切断予告通知８を受信した無線ＬＡＮアクセスポイント４からの切断フレーム１０を受け付けて切断処理に移行する。このため、切断予告通知８が発せられていない他の無線ＬＡＮアクセスポイント４Ｘや他のノードから切断フレーム１０が送信されてもそれによる接続の切断処理が行われることなく、無線接続が維持される。
【００３７】
次に、無線ＬＡＮアクセスポイントについて、図２を参照する。図２は、アクセスポイントの構成を示す図である。図２に示す構成は一例であって、斯かる構成に本発明が限定されるものではない。
【００３８】
無線ＬＡＮアクセスポイント４は、無線又は有線による通信機能を備えたコンピュータであって、図２に示すように、ＣＰＵ（Central Processing Unit ）４００と、ＦｌａｓｈＲＯＭ（Read-Only Memory）４０２と、ＲＡＭ（Random-Access Memory）４０４と、クロック部４０６と、無線ＬＡＮインタフェース部４０８と、有線ＬＡＮインタフェース部４１０と、電源部４１２とを備えている。
【００３９】
ＣＰＵ４００は、情報の送受、予告通知処理、切断処理等を実行する処理手段、各種機能部の制御手段の一例であって、ＦｌａｓｈＲＯＭ４０２にあるＯＳ（Operating System）、切断処理プログラム等のアプリケーションプログラムを実行する。ＦｌａｓｈＲＯＭ４０２は、プログラム記録部、データ記録部の一例であって、既述のＯＳやアプリケーションプログラムを格納するとともに、データ記録部にはデータテーブルを備える。ＲＡＭ４０４は、ワークエリアを構成する。
【００４０】
クロック部４０６は、計時手段の一例であって、切断予告通知情報の発行から所定時間の計時を行う。既述の間隔時間Ｔは、このクロック部４０６によって計時される。
【００４１】
無線ＬＡＮインタフェース部４０８は、無線ＬＡＮ端末６に対する無線接続の手段であって、ベースバンドプロセッサ４１４、トランシーバ４１６、電力増幅器４１８、アンテナ４２０を備えている。ベースバンドプロセッサ４１４は、情報を送受するためのベースバンド信号を発生する手段である。トランシーバ４１６は、ベースバンド信号で搬送信号を変調して送信信号を生成し、又は受信信号からベースバンド信号を復調する手段である。電力増幅器４１８は、送信信号又は受信信号を増幅する手段である。アンテナ４２０は、電力増幅器４１８から出力される送信信号を無線ＬＡＮ端末６に無線信号として送出し、又は無線ＬＡＮ端末６からの無線信号を受信し、受信信号として電力増幅器４１８に入力する。
【００４２】
有線ＬＡＮインタフェース部４１０は、図示しない有線ＬＡＮ端末に対する有線接続手段である。電源部４１２は、給電手段であって、ＣＰＵ４００や無線ＬＡＮインタフェース部４０８等の各種機能部に対し、駆動電力を供給する。
【００４３】
斯かる構成によれば、無線ＬＡＮアクセスポイント４の無線ＬＡＮインタフェース部４０８を通して無線ＬＡＮ端末６と無線接続することができ、接続中の無線ＬＡＮ端末６に対して既述の切断予告通知８をビーコンフレーム１２によって送信し、その切断予告通知８から時間Ｔの後、切断フレーム１０を送信する処理を実行することができる。
【００４４】
次に、無線ＬＡＮ端末について、図３を参照する。図３は、無線ＬＡＮ端末の構成を示す図である。図３に示す構成は一例であって、斯かる構成に本発明が限定されるものではない。
【００４５】
次に、無線ＬＡＮ端末６は、無線ＬＡＮアクセスポイント４を含む各種の無線中継手段との無線による通信機能を備えたコンピュータであって、図３に示すように、ＣＰＵ６００と、ストレージ６０２と、ＲＡＭ６０４と、クロック部６０６と、無線ＬＡＮインタフェース部６０８と、電源部６１２とを備えている。
【００４６】
ＣＰＵ６００は、情報の送受、切断処理等の情報処理手段、各種機能部の制御手段の一例であって、ストレージ６０２にあるＯＳ、切断処理プログラムサブルーチン等のアプリケーションプログラムを実行する。ストレージ６０２は、プログラム記録部、データ記録部の一例であって、既述のＯＳやアプリケーションプログラムを格納するとともに、データ記録部にはデータテーブルを備える。ＲＡＭ６０４は、ワークエリアを構成する。
【００４７】
クロック部６０６は、計時手段の一例であって、切断予告通知８の発行から待機時間ｔの計時を行う。この待機時間ｔが経過するまで、切断フレーム１０の受け付けが可能となる。
【００４８】
無線ＬＡＮインタフェース部６０８は、無線ＬＡＮアクセスポイント４に対する無線接続の手段であって、ベースバンドプロセッサ６１４、トランシーバ６１６、電力増幅器６１８、アンテナ６２０を備えている。ベースバンドプロセッサ６１４は、情報を送受するためのベースバンド信号を発生する手段である。トランシーバ６１６は、ベースバンド信号で搬送信号を変調して送信信号を生成し、又は受信信号からベースバンド信号を復調する手段である。電力増幅器６１８は、送信信号又は受信信号を増幅する手段である。アンテナ６２０は、電力増幅器６１８から出力される送信信号を無線ＬＡＮアクセスポイント４に無線信号として送出し、又は無線ＬＡＮアクセスポイント４からの無線信号を受信し、受信信号として電力増幅器６１８に入力する。
【００４９】
電源部６１２は、給電手段であって、ＣＰＵ６００や無線ＬＡＮインタフェース部６０８等の各種機能部に対し、駆動電力を供給する。
【００５０】
斯かる構成によれば、無線ＬＡＮアクセスポイント４に無線ＬＡＮインタフェース部６０８を通して無線接続することができ、接続中の無線ＬＡＮアクセスポイント４から既述の切断予告通知８を受信した場合、切断予告通知８から待機時間ｔの間、切断フレーム１０の受信を待機し、切断フレーム１０の受信に基づき、切断処理を実行することができる。
【００５１】
次に、切断予告通知について、図４を参照する。図４は、切断予告フレームを示す図である。図４に示す構成は一例であって、斯かる構成が本発明に限定されるものではない。図４において、図１と同一部分には同一符号を付してある。
【００５２】
この切断予告フレーム８０は、切断予告通知を示す識別情報の一例であって、ビーコンフレーム１２に切断予告通知として情報エレメント（Information Element ）を付加する方法の一例であり、図４に示すように、ＭＡＣ（Medium Access Control ）ヘッダ８１と、フレームボディ部８２と、ＦＣＳ（Frame Check Sequence）８３とを備えている。ビーコンフレーム１２は、通信に必要な各種情報を周辺無線局へ報知するための情報であって、基地局（この場合、無線ＬＡＮアクセスポイント）が周期的に送信し、無線セルの存在を端末局（この場合、無線ＬＡＮ端末）に通知する役割を担う。
【００５３】
ＭＡＣヘッダ８１は、フレーム制御情報、デュレーション／ＩＤ、宛先アドレス、送信元アドレス、ＢＳＳ（Basic Service Set ）ＩＤ、シーケンス制御情報を含んでいる。デュレーション／ＩＤは、無線回線を使用する予定時間である。宛先アドレスは、宛先である無線ＬＡＮ端末のアドレスである。送信元アドレスは、送信元である無線ＬＡＮアクセスポイントのアドレスである。ＢＳＳＩＤは、ＢＳＳ即ち、無線セルの識別情報であり、基地局である無線ＬＡＮアクセスポイントのＭＡＣアドレスで表される。シーケンス制御情報は、ＭＡＣフレームのシーケンス番号とフラグメントのためのフラグメント番号を示す。
【００５４】
フレームボディ部８２は送信データの格納部であって、このフレームボディ部８２には、Information ８２１、Value ８２２、Information ８２３、Value ８２４とともに、切断予告通知８を表す切断情報エレメント８２５が設定され、この切断情報エレメント８２５には切断予告ＩＤ８２５１、端末ＭＡＣアドレス・待機時間８２５２が格納されている。Information ８２１、Value ８２２、Information ８２３、Value ８２４は、送信データ及びそのデータ量を表す。切断予告ＩＤ８２５１は、切断予告通知情報であり、端末ＭＡＣアドレス・待機時間８２５２は、切断予告が通知される無線ＬＡＮ端末を表す端末ＭＡＣアドレス、切断予告からの既述の待機時間ｔが設定される。
【００５５】
ＦＣＳ８３は誤り検出符号の格納部であって、この場合、ＭＡＣヘッダ８１とフレームボディ部８２の誤り検出符号が格納されている。
【００５６】
斯かる切断予告フレーム８０が切断フレーム１０の送信前に切断対象である無線ＬＡＮ端末６に送信されれば、それを受信した無線ＬＡＮ端末６では、端末ＭＡＣアドレスによって切断対象の特定とともに、切断予告から切断フレーム１０を受け付ける待機時間ｔが設定され、待機時間ｔ内に切断フレーム１０が到来すれば、切断処理が実行されることになる。
【００５７】
次に、無線ＬＡＮアクセスポイント側の処理について、図５を参照する。図５は、無線ＬＡＮアクセスポイントの処理手順を示すフローチャートである。図５に示す構成は一例であって、斯かる構成に本発明が限定されるものではない。
【００５８】
この処理手順は、切断処理方法及び切断処理プログラムの一例であって、無線ＬＡＮアクセスポイント側の処理であり、待機時間ｔを付加する処理を含んでいる。
【００５９】
この処理手順では、図５に示すように、無線ＬＡＮ端末を切断しようとしているか否かの判断をし（ステップＳ１１）、切断をしようとしている場合（ステップＳ１１のＹＥＳ）には、切断予告通知の送信から切断フレームの送信までの時間間隔Ｔを決定する（ステップＳ１２）。切断予告通知を送信可能なタイミングを待ち（ステップＳ１３）、切断予告通知を送信可能なタイミングか否かを判断する（ステップＳ１４）。切断予告通知を送信可能なタイミングであれば（ステップＳ１４のＹＥＳ）、切断予告通知を通知用フレームとして例えば、ビーコンフレーム１２に付加し、送信する（ステップＳ１５）。切断予告通知を送信可能なタイミングでなければ（ステップＳ１４のＮＯ）、切断予告通知の送信の待機状態となる。
【００６０】
切断予告通知を送信すれば、微少時間だけ待機し（ステップＳ１６）、切断予告通知から時間間隔Ｔが経過したか否かを判断し（ステップＳ１７）、時間間隔Ｔが経過すれば（ステップＳ１７のＹＥＳ）、切断処理のための切断フレームを送信し（ステップＳ１８）、この処理を終了する。
【００６１】
次に、無線ＬＡＮ端末側の処理について、図６を参照する。図６は、無線ＬＡＮ端末の処理手順を示すフローチャートである。図６に示す構成は一例であって、斯かる構成に本発明が限定されるものではない。
【００６２】
この処理手順は、切断処理方法及び切断処理プログラムの一例であって、図５のフローチャートに対応する無線ＬＡＮ端末側の処理である。
【００６３】
この処理手順では、図６に示すように、現在、切断待機状態か否かを判断し（ステップＳ２１）、切断待機状態であれば（ステップＳ２１のＹＥＳ）、微小時間だけ待機する（ステップＳ２２）。切断待機時間状態に入ってから待機時間ｔ以内か否かを判断し（ステップＳ２３）、待機時間ｔ以内であれば（ステップＳ２３のＹＥＳ）、切断フレーム１０を受信したか否かを判断し（ステップＳ２４）、切断フレーム１０を受信すれば（ステップＳ２４のＹＥＳ）、切断処理を実行し（ステップＳ２５）、この処理を終了する。
【００６４】
ステップＳ２１において、現在、切断待機状態でなければ（ステップＳ２１のＮＯ）、切断フレーム１０を受信したか否かを判断し（ステップＳ２６）、切断フレーム１０を受信すれば（ステップＳ２６のＹＥＳ）、切断フレーム１０を無視し（ステップＳ２７）、ステップＳ２１に戻る。
【００６５】
ステップＳ２６において、切断フレーム１０を受信しなければ（ステップＳ２６のＮＯ）、切断予告通知フレーム８を受信したか否かを判断し（ステップＳ２８）、切断予告通知フレーム８を受信しなければ（ステップＳ２８のＮＯ）、ステップＳ２１に戻り、切断予告通知フレーム８を受信すれば（ステップＳ２８のＹＥＳ）、切断予告通知フレーム８に待機時間ｔが含まれているか否かを判断し（ステップＳ２９）、待機時間ｔが含まれていれば（ステップＳ２９のＹＥＳ）、その待機時間ｔをストレージ（データ記憶部）に保存する（ステップＳ３０）。切断予告通知フレームに待機時間ｔが含まれていない場合（ステップＳ２９のＮＯ）、切断待機状態に移行し（ステップＳ３１）、ステップＳ２１に戻る。
【００６６】
また、ステップＳ２３において、切断待機状態に入ってから待機時間ｔ以内でなければ、即ち、待機時間ｔを経過後であれば（ステップＳ２３のＮＯ）、切断待機状態を解除し（ステップＳ３２）、ステップＳ２１に戻る。
【００６７】
次に、無線ＬＡＮアクセスポイントと無線ＬＡＮ端末との間の処理について、図７を参照する。図７は、無線ＬＡＮアクセスポイントと無線ＬＡＮ端末との間の処理シーケンスを示すフローチャートである。図７に示す構成は一例であって、斯かる構成に本発明が限定されるものではない。
【００６８】
この処理手順は、切断処理方法及び切断処理プログラムの一例である。この実施の形態では、切断予告通知を通知用フレームとしてビーコンフレームを例示しているが、図中、ステップＳ１０１、Ｓ１０２に記載している通り、ビーコンフレームに代えて制御フレームに切断予告通知を付加してもよい。
【００６９】
そこで、この処理手順では、図７に示すように、無線ＬＡＮアクセスポイント４からビーコンフレーム（又は制御フレーム）に切断予告通知を付加して送信し（ステップＳ１０１）、この切断予告通知を受けた無線ＬＡＮ端末６では、受信したビーコンフレーム（又は制御フレーム）中に切断予告通知を検出すれば、切断待機状態へ遷移する（ステップＳ１０２）。切断予告通知に待機時間ｔが含まれていれば、それを記憶し（ステップＳ１０３）、切断待機状態を維持する。
【００７０】
無線ＬＡＮアクセスポイント４は、切断予告通知を送信した後、時間間隔Ｔの経過を待って、切断フレームを送信する（ステップＳ１０４）。無線ＬＡＮ端末６では、この切断フレームを受信し（ステップＳ１０５）、切断予告通知を受信してから待機時間ｔが経過しているか否かを判断する（ステップＳ１０６）。待機時間ｔが経過していなければ、即ち、待機時間ｔ内であれば（ステップＳ１０６のＮＯ）、切断処理を受け付け、無線ＬＡＮ接続を切断する（ステップＳ１０７）。待機時間ｔが経過していれば即ち、待機時間ｔ後に切断フレームを受信したのであれば（ステップＳ１０６のＹＥＳ）、切断フレームの受信を無視し、切断処理を実行することなく、無線ＬＡＮ接続を継続する（ステップＳ１０８）。
【００７１】
次に、切断処理又は接続継続の処理について、図８を参照する。図８は、切断処理又は接続継続を実行する場合の動作を示すタイミングチャートである。図８に示す構成は一例であって、斯かる構成に本発明が限定されるものではない。
【００７２】
図８のＡにおいて、Ａ０は無線ＬＡＮアクセスポイント４から発せられた切断予告通知、Ａ１は無線ＬＡＮアクセスポイント４から発せられた切断フレーム、ＡＸは無線ＬＡＮアクセスポイント４Ｘから発せられた切断フレームである。無線ＬＡＮアクセスポイント４と接続中の無線ＬＡＮ端末６が切断予告通知（Ａ０）を受けると、図８のＢに示す待機時間ｔによる切断待機状態に移行する。
【００７３】
無線ＬＡＮアクセスポイント４から切断予告通知（Ａ０）から時間間隔Ｔの後、切断フレーム（Ａ１）が発せられ、この切断フレーム（Ａ１）は切断待機状態にある無線ＬＡＮ端末６の待機時間ｔで受信されるので、図８のＣに示すように、切断フレーム（Ａ１）は、無線ＬＡＮ端末６に受け付けられ、無線ＬＡＮ端末６において既述の切断処理が実行される。
【００７４】
この場合、他の無線ＬＡＮアクセスポイント４Ｘから発せられた切断フレーム（ＡＸ）は、待機時間ｔの後であるから無視されることになる。
【００７５】
また、この場合、無線ＬＡＮアクセスポイント４Ｘから切断フレーム（ＡＸ）が発せられても、待機時間ｔ以外の時点では、その切断フレーム（ＡＸ）は無視され、それによる切断処理に移行することはない。また、仮に、待機時間ｔ内で無線ＬＡＮアクセスポイント４Ｘから切断フレーム（ＡＸ）が到来し、それによる切断処理が実行されたとしても、既に切断待機状態にあるので、何ら不都合はない。
【００７６】
以上述べた第１の実施の形態について、変形例や特徴事項や利点を以下に列挙する。
【００７７】
(1) 無線ＬＡＮアクセスポイント４に無線ＬＡＮ端末６が接続しているとき、無線ＬＡＮアクセスポイント４が無線ＬＡＮ端末６を切断しようとする直前のビーコンフレームに切断予告通知を付加することにより、無線ＬＡＮ端末６に切断処理を行うことを事前に通知するので、セキュリティの高い切断処理が行える。
【００７８】
(2) 無線ＬＡＮアクセスポイント４に無線ＬＡＮ端末６が接続しているとき、無線ＬＡＮアクセスポイント４から送信されたビーコンフレームに無線ＬＡＮ端末６に対する切断予告通知が付加されているとき、その直後ならば無線ＬＡＮアクセスポイント４から受信した切断フレームを受け付け、ビーコンフレームに切断予告が付加されていないとき又は直後以外のときには、切断フレームを無視することで正規の無線ＬＡＮアクセスポイントからの切断フレームのみを受け付けることができ、切断処理のセキュリティを向上させることができる。
【００７９】
(3) 無線ＬＡＮアクセスポイント４に無線ＬＡＮ端末６が接続しているとき、無線ＬＡＮアクセスポイント４が無線ＬＡＮ端末６を切断しようとする直前の制御フレームに切断予告通知を付加することにより、無線ＬＡＮ端末６に切断処理を行うことを事前に通知するので、セキュリティの高い切断処理が行える。
【００８０】
(4) 無線ＬＡＮアクセスポイント４に無線ＬＡＮ端末６が接続しているとき、無線ＬＡＮアクセスポイント４から送信された制御フレームに無線ＬＡＮ端末６に対する切断予告通知が付加されているとき、その直後ならば無線ＬＡＮアクセスポイント４から受信した切断フレームを受け付け、制御フレームに切断予告が付加されていないとき、又は直後以外のときには、切断フレームを無視することで正規の無線ＬＡＮアクセスポイント４からの切断フレームのみを受け付けることができ、制御フレームを用いた場合でも、切断処理のセキュリティを向上させることができる。
【００８１】
(5) 切断予告通知を送信した後、切断フレームを送信するまでの間隔を決定し、ビーコンフレーム又は制御フレームにその間隔を付加し送付することで、無線ＬＡＮ端末６に対して、切断予告通知の受信後、切断フレームを受信するための待機時間を通知すれば、無線ＬＡＮ端末６側で切断フレームを受信可能な状態を待機時間に設定でき、切断処理のセキュリティを向上させることができる。
【００８２】
(6) 無線ＬＡＮアクセスポイント４が接続中の無線ＬＡＮ端末６を切断する際、切断フレーム送信の直前に切断予告通知を送信することで、切断フレームが正規の無線ＬＡＮアクセスポイント４から送信されたものかどうかが無線ＬＡＮ端末６側で判定し、その判定結果に基づいて切断処理に移行させることができるので、なりすましによる切断を防止でき、切断処理のセキュリティを向上させることができる。
【００８３】
(7) 無線ＬＡＮ端末６が接続中の無線ＬＡＮアクセスポイント４からの切断フレームだけを受け付けるようになり、その他のノードから切断フレームを受信しても、無線ＬＡＮ接続の切断を防止でき、接続の信頼性が高められる。
【００８４】
(8) 以上により切断処理のセキュリティが向上するので、第三者によるディオーセンティケーションフレーム送信による無線ＬＡＮ接続の切断攻撃を防止することができ、そのような攻撃がなされたとしても接続を維持することができ、接続の信頼性が向上する。
【００８５】
なお、切断予告通知に関し、情報エレメントを新たに定義し、それを付加すれば、無線ＬＡＮアクセスポイントと無線ＬＡＮ端末の組み合わせの中に、本発明の機能に対応していない従来の無線ＬＡＮ端末が混在していても、切断予告通知が付加されたビーコンフレームをその無線ＬＡＮ端末が受信可能であり共存できる。
【００８６】
〔第２の実施の形態〕
【００８７】
第２の実施の形態において、図９を参照する。図９は、第２の実施の形態に係る切断予告通知の処理手順を示す図である。図９に示す構成は一例であって、斯かる構成に本発明が限定されるものではない。
【００８８】
第１の実施の形態では、切断予告通知を生成した後、ビーコンフレーム又は制御フレームに切断予告通知を付加する処理を行っているが、切断予告通知を暗号化処理すれば、セキュリティをより向上させることができる。
【００８９】
この処理手順は、切断予告通知の生成の後、暗号化処理を付加したものであり、図９に示すように、切断予告通知の生成を実行し（ステップＳ４１）、この切断予告通知に暗号化処理を施し（ステップＳ４２）、暗号化処理された切断予告通知をビーコンフレームに付加する（ステップＳ４３）。この処理の後、送信を行う。
【００９０】
この実施の形態では、ビーコンフレームを例示しているが、暗号化処理された切断予告通知を制御フレームに付加してもよい。
【００９１】
斯かる構成によれば、無線ＬＡＮ端末６との間のデータ通信で用いている暗号化キーで切断予告通知を暗号化した上で付加し、送付することで、切断対象の端末だけに切断予告通知を受信させることができる。
【００９２】
また、無線ＬＡＮアクセスポイント４から送信されたビーコンフレーム又は制御フレームを、データ通信で用いている暗号化キーで切断予告通知を復号化し、無線ＬＡＮ端末６に対する切断予告通知が付加されているときはその直後ならばＡから受信した切断フレームを受け付け、ビーコンフレーム又は制御フレームに切断予告が付加されていないとき、又は直後以外のときは切断フレームを無視することで正規のアクセスポイントからの切断フレームのみを受け付けるようにするようにしてもよい。
【００９３】
斯かる構成とすれば、切断予告通知を、通知しようとする無線ＬＡＮ端末との間のデータ通信で用いている暗号化キーで暗号化した上で付加することで、切断対象の無線ＬＡＮ端末だけに切断予告通知を受信させることができ、無線ＬＡＮ端末側から見た場合、無関係な無線ＬＡＮノードが接続中の無線ＬＡＮアクセスポイントになりすまして切断予告通知を送信しようとする攻撃を防ぐことができる。
【００９４】
〔第３の実施の形態〕
【００９５】
第３の実施の形態において、図１０を参照する。図１０は、第３の実施の形態に係る無線ＬＡＮアクセスポイントの処理手順を示すフローチャートである。図１０に示す構成は一例であって、斯かる構成に本発明が限定されるものではない。
【００９６】
第１の実施の形態では、切断予告通知の送信から切断フレームの送信までの間に時間間隔Ｔを設定したが、この時間間隔Ｔを設定することなく、任意の送信可能なタイミングにおいて、切断予告通知を送信する処理としてもよい。
【００９７】
この処理手順では、図１０に示すように、無線ＬＡＮ端末を切断しようとしているか否かの判断をし（ステップＳ５１）、切断をしようとしている場合（ステップＳ５１のＹＥＳ）には、切断予告通知を送信可能なタイミングを待ち（ステップＳ５２）、切断予告通知を送信可能なタイミングか否かを判断する（ステップＳ５３）。切断予告通知を送信可能なタイミングであれば（ステップＳ５３のＹＥＳ）、切断予告通知を通知用フレームとして例えば、ビーコンフレームに付加し、送信する（ステップＳ５４）。切断予告通知を送信可能なタイミングでなければ（ステップＳ５３のＮＯ）、切断予告通知の送信の待機状態となる。
【００９８】
そして、切断予告通知を送信すれば、微少時間だけ待機し（ステップＳ５５）、切断予告通知から待機時間ｔが経過したか否かを判断し（ステップＳ５６）、待機時間ｔが経過すれば（ステップＳ５５のＹＥＳ）、切断処理のための切断フレームを送信し（ステップＳ５７）、この処理を終了する。
【００９９】
〔第４の実施の形態〕
【０１００】
第４の実施の形態において、図１１を参照する。図１１は、第４の実施の形態に係る無線ＬＡＮアクセスポイントの処理手順を示すフローチャートである。図１１に示す構成は一例であって、斯かる構成に本発明が限定されるものではない。
【０１０１】
第３の実施の形態では、待機時間ｔを設定しているが、この待機時間ｔを設定することなく、任意の送信可能なタイミングにおいて、切断フレームを送信する処理としてもよい。
【０１０２】
この処理手順では、図１１に示すように、無線ＬＡＮ端末を切断しようとしているか否かの判断をし（ステップＳ６１）、切断をしようとしている場合（ステップＳ６１のＹＥＳ）には、切断予告通知を送信可能なタイミングを待ち（ステップＳ６２）、切断予告通知を送信可能なタイミングか否かを判断する（ステップＳ６３）。切断予告通知を送信可能なタイミングであれば（ステップＳ６３のＹＥＳ）、切断予告通知を通知用フレームとして例えば、ビーコンフレームに付加し、送信する（ステップＳ６４）。切断予告通知を送信可能なタイミングでなければ（ステップＳ６３のＮＯ）、切断予告通知の送信の待機状態となる。そして、切断予告通知を送信すれば、微少時間だけ待機し（ステップＳ６５）、切断処理のための切断フレームを送信し（ステップＳ６６）、この処理を終了する。
【０１０３】
なお、無線ＬＡＮアクセスポイントは切断予告通知の送信から切断フレームの送信までの間隔を待機時間ｔとして無線ＬＡＮ端末に通知することを述べているが、規格等によって待機時間ｔが固定値として定められ、無線ＬＡＮアクセスポイントと無線ＬＡＮ端末の双方が待機時間ｔを知っている場合には、切断予告通知に待機時間ｔを含めない構成としてもよい。この場合、無線ＬＡＮ端末は切断予告通知の受信から待機する期間として、自身が記憶している待機時間ｔを用いればよい。
【０１０４】
〔第５の実施の形態〕
【０１０５】
第５の実施の形態において、図１２及び図１３を参照する。図１２は、第５の実施の形態に係る無線ＬＡＮアクセスポイントの処理手順を示すフローチャート、図１３は、無線ＬＡＮ端末の処理手順を示すフローチャートである。図１２及び図１３に示す構成は一例であって、斯かる構成に本発明が限定されるものではない。
【０１０６】
第４の実施の形態では、微小時間待機（ステップＳ６５）を設定しているが、この微小時間待機、即ち、一定時間待機を省略し、任意の送信可能なタイミングにおいて、切断フレームを送信する処理としてもよい。
【０１０７】
この処理手順では、図１２に示すように、無線ＬＡＮ端末を切断しようとしているか否かの判断をし（ステップＳ７１）、切断をしようとしている場合（ステップＳ７１のＹＥＳ）には、切断予告通知を送信可能なタイミングを待ち（ステップＳ７２）、切断予告通知を送信可能なタイミングか否かを判断する（ステップＳ７３）。切断予告通知を送信可能なタイミングであれば（ステップＳ７３のＹＥＳ）、切断予告通知を通知用フレームとして例えば、ビーコンフレームに付加し、送信する（ステップＳ７４）。切断予告通知を送信可能なタイミングでなければ（ステップＳ７３のＮＯ）、切断予告通知の送信の待機状態となる。そして、この切断予告通知の送信の後、任意のタイミングで切断処理のための切断フレームを送信し（ステップＳ７５）、この処理を終了する。
【０１０８】
このように、切断予告通知の送信後に待機時間ｔや一定の微小時間を設定することなく切断フレームを送信すれば、不正者に時間設定を知られることがなく、セキュリティをより向上させることができる。
【０１０９】
このような無線ＬＡＮアクセスポイント４の処理に対応し、無線ＬＡＮ端末６の処理手順は、図１３に示すように、現在、切断待機状態か否かを判断し（ステップＳ８１）、切断待機状態であれば（ステップＳ８１のＹＥＳ）、一定時間だけ待機する（ステップＳ８２）。切断待機時間状態に入ってから一定時間内か否かを判断し（ステップＳ８３）、一定時間以内であれば（ステップＳ８３のＹＥＳ）、切断フレーム１０を受信したか否かを判断し（ステップＳ８４）、切断フレーム１０を受信すれば（ステップＳ８４のＹＥＳ）、切断処理を実行し（ステップＳ８５）、この処理を終了する。
【０１１０】
ステップＳ８１において、現在、切断待機状態でなければ（ステップＳ８１のＮＯ）、切断フレーム１０を受信したか否かを判断し（ステップＳ８６）、切断フレーム１０を受信すれば（ステップＳ８６のＹＥＳ）、切断フレーム１０を無視し（ステップＳ８７）、ステップＳ８１に戻る。
【０１１１】
ステップＳ８６において、切断フレーム１０を受信しなければ（ステップＳ８６のＮＯ）、切断予告通知フレーム８を受信したか否かを判断し（ステップＳ８８）、切断予告通知フレームを受信しなければ（ステップＳ８８のＮＯ）、ステップＳ８１に戻り、切断予告通知フレームを受信すれば（ステップＳ８８のＹＥＳ）、切断待機状態に移行し（ステップＳ８９）、ステップＳ８１に戻る。
【０１１２】
また、ステップＳ８３において、切断待機状態に入ってから一定時間が経過していれば（ステップＳ８３のＮＯ）、切断待機状態を解除し（ステップＳ９０）、ステップＳ８１に戻る。
【０１１３】
〔他の実施の形態〕
【０１１４】
(1) 上記実施の形態では、切断フレームを実際に送信する前の一定時間内に切断予告通知を送信する構成について述べているが、切断予告通知を送信する手段はビーコンフレームに限定されるものではない。即ち、データフレーム以外にアクセスポイントから端末に送信されるフレームに切断予告通知を付加して通知を行ってもよい。
【０１１５】
(2) 無線ＬＡＮアクセスポイント４がビーコンフレームに付加する切断予告通知をどのように実装するかは任意であり、上記実施の形態に限定されるものではない。
【０１１６】
(3) 切断フレームについて、IEEE802.11で定められたディオーセンティケーションフレームを例示したが、切断フレームはこのディオーセンティケーションフレームに限定されるものではない。
【０１１７】
(4) 上記実施の形態では、無線通信装置として無線ＬＡＮアクセスポイント又は無線ＬＡＮ端末、相手装置として無線ＬＡＮ端末又は無線ＬＡＮアクセスポイントを例示したが、無線接続される装置であればどのような通信装置であってもよく、無線ＬＡＮアクセスポイントや無線ＬＡＮ端末に限定されるものではない。無線ＬＡＮ端末同士であっても本発明は適用可能である。
【０１１８】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１１９】
（付記１）  無線通信装置が接続中の相手装置に切断フレームを送信して切断処理を行う無線通信システムであって、
前記無線通信装置が接続中の前記相手装置に対し、切断処理の前記切断フレーム送信実行前の送信フレームに切断を予告する切断予告通知を付加する処理手段を備え、前記切断予告通知の後、前記切断フレームを送信して切断処理を実行することを特徴とする無線通信システム。
【０１２０】
（付記２）  付記１の無線通信システムにおいて、
前記相手装置は、前記無線通信装置から送信される切断処理前の送信フレームに付加されている切断予告通知から切断予告を認識し、その切断予告通知後の待機時間で切断フレームを受け付ける処理手段を備え、前記待機時間後、切断フレームを無視することを特徴とする無線通信システム。
【０１２１】
（付記３）  付記１の無線通信システムにおいて、
前記送信フレームは、通信装置の存在を表す報知情報を表すフレーム、通信装置の制御情報を表すフレーム、又は切断予告通知のために設定されたフレームの何れかであることを特徴とする無線通信システム。
【０１２２】
（付記４）  付記１の無線通信システムにおいて、
前記切断予告通知は、前記相手装置からの切断フレームを受け付ける待機時間を表す情報を含むことを特徴とする無線通信システム。
【０１２３】
（付記５）  付記１の無線通信システムにおいて、
前記無線通信装置が前記切断予告通知を暗号化する暗号化手段を備え、暗号化された切断予告通知を前記相手装置に送信することを特徴とする無線通信システム。
【０１２４】
（付記６）  付記２の無線通信システムであって、
前記相手装置が暗号化された前記切断予告通知を復号化する復号化手段を備え、前記切断予告通知を復号化して切断予告通知を認識することを特徴とする無線通信システム。
【０１２５】
（付記７）  接続中の相手装置に切断フレームを送信して切断処理を行う無線通信装置であって、
接続中の相手装置に対し、切断処理の前記切断フレーム送信実行前の送信フレームに切断を予告する切断予告通知を付加する処理手段を備え、前記切断予告通知の後、前記切断フレームを送信して切断処理を実行することを特徴とする無線通信装置。
【０１２６】
（付記８）  接続中の相手装置から切断フレームを受けて切断処理が実行される無線通信装置であって、
接続中の前記相手装置からの送信フレームを受信する受信手段と、
前記送信フレームに付加されている切断予告通知から切断予告を認識し、その切断予告通知受信後の待機時間内に受信した切断フレームに基づき切断処理を実行する処理手段とを備えることを特徴とする無線通信装置。
【０１２７】
（付記９）  付記７又は８の無線通信装置において、
前記送信フレームは、通信装置の存在を表す報知情報を表すフレーム、通信装置の制御情報を表すフレーム、又は切断予告通知のために設定されたフレームの何れかであることを特徴とする無線通信装置。
【０１２８】
（付記１０）  付記７又は８の無線通信装置において、
前記切断予告通知は、前記相手装置からの切断フレームを受け付ける待機時間を表す情報を含むことを特徴とする無線通信装置。
【０１２９】
（付記１１）  付記７の無線通信装置において、
前記切断予告通知を暗号化する暗号化手段を備え、暗号化された切断予告通知を前記相手装置に送信することを特徴とする無線通信装置。
【０１３０】
（付記１２）  付記８の無線通信装置であって、
暗号化された前記切断予告通知を復号化する復号化手段を備え、前記切断予告通知を復号化して切断予告通知を認識することを特徴とする無線通信装置。
【０１３１】
（付記１３）  接続中の相手装置に切断フレームを送信して切断処理を行う無線通信装置の切断処理方法であって、
接続中の相手装置に対し、切断処理の前記切断フレーム送信実行前の送信フレームに切断を予告する切断予告通知を付加するステップと、
前記切断予告通知の後、前記切断フレームを送信して切断処理を実行するステップと、
を含むことを特徴とする無線通信装置の切断処理方法。
【０１３２】
（付記１４）  接続中の相手装置から切断フレームを受けて切断処理が実行される無線通信装置の切断処理方法であって、
接続中の前記相手装置から受信した送信フレームに付加されている切断予告通知から切断予告を認識するステップと、
前記ステップで切断予告通知受信後の待機時間内に受信した切断フレームに基づき切断処理を実行するステップと、
を含むことを特徴とする無線通信装置の切断処理方法。
【０１３３】
（付記１５）  付記１３の無線通信装置の切断処理方法において、
前記切断予告通知を暗号化するステップを含むことを特徴とする無線通信装置の切断処理方法。
【０１３４】
（付記１６）  付記１４の無線通信装置の切断処理方法であって、
暗号化された切断予告通知を復号化するステップを含むことを特徴とする無線通信装置の切断処理方法。
【０１３５】
（付記１７）  接続中の相手装置に切断フレームを送信して切断処理をコンピュータにより実行する無線通信装置の切断処理プログラムであって、
接続中の相手装置に対し、切断処理の前記切断フレーム送信実行前の送信フレームに切断を予告する切断予告通知を付加する機能と、
前記切断予告通知の後、前記切断フレームを送信して切断処理を実行する機能と、
を含むことを特徴とする無線通信装置の切断処理プログラム。
【０１３６】
（付記１８）  接続中の相手装置から切断フレームを受けて切断処理をコンピュータにより実行する無線通信装置の切断処理プログラムであって、
接続中の前記相手装置から受信した送信フレームに付加されている切断予告通知から切断予告を認識する機能と、
前記ステップで切断予告通知受信後の待機時間内に受信した切断フレームに基づき切断処理を実行する機能と、
を含むことを特徴とする無線通信装置の切断処理プログラム。
【０１３７】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１３８】
本発明は、無線ＬＡＮ（Local Area Network）システムの無線ＬＡＮアクセスポイントと無線ＬＡＮ端末との無線接続等、無線通信装置間の無線接続の切断に関し、切断予告通知を受け付けていない場合には切断フレームが送信されても、切断処理が実行されないので、通信接続やその切断処理のセキュリティを向上させることができ、有用である。
【図面の簡単な説明】
【０１３９】
【図１】第１の実施の形態に係る無線ＬＡＮシステムを示す図である。
【図２】アクセスポイントの構成を示す図である。
【図３】無線ＬＡＮ端末の構成を示す図である。
【図４】切断予告フレームを示す図である。
【図５】無線ＬＡＮアクセスポイントの処理手順を示すフローチャートである。
【図６】無線ＬＡＮ端末の処理手順を示すフローチャートである。
【図７】無線ＬＡＮアクセスポイントと無線ＬＡＮ端末との間の処理シーケンスを示すフローチャートである。
【図８】切断処理又は接続継続を実行する場合の動作を示すタイミングチャートである。
【図９】第２の実施の形態に係る切断予告通知の処理手順を示すフローチャートである。
【図１０】第３の実施の形態に係る無線ＬＡＮアクセスポイントの処理手順を示すフローチャートである。
【図１１】第４の実施の形態に係る無線ＬＡＮアクセスポイントの処理手順を示すフローチャートである。
【図１２】第５の実施の形態に係る無線ＬＡＮアクセスポイントの処理手順を示すフローチャートである。
【図１３】図１２の処理手順に対応する無線ＬＡＮ端末の処理手順を示すフローチャートである。
【符号の説明】
【０１４０】
２  無線ＬＡＮシステム
４  無線ＬＡＮアクセスポイント
６  無線ＬＡＮ端末
８  切断予告通知
１０  ディオーセンティケーション
１２  ビーコンフレーム
４００  ＣＰＵ
４０２  ＦｌａｓｈＲＯＭ
４０４  ＲＡＭ
４０６  クロック部
４０８  無線ＬＡＮインタフェース部
４１０  有線ＬＡＮインタフェース部
４１２  電源部
【図１】
0005282448.tif 000002
【図２】
0005282448.tif 000003
【図３】
0005282448.tif 000004
【図４】
0005282448.tif 000005
【図５】
0005282448.tif 000006
【図６】
0005282448.tif 000007
【図７】
0005282448.tif 000008
【図８】
0005282448.tif 000009
【図９】
0005282448.tif 000010
【図１０】
0005282448.tif 000011
【図１１】
0005282448.tif 000012
【図１２】
0005282448.tif 000013
【図１３】
0005282448.tif 000014